【手続補正書】
【提出日】平成18年12月4日(2006.12.4)
【手続補正１】
【補正対象書類名】明細書
【補正対象項目名】特許請求の範囲
【補正方法】変更
【補正の内容】
【特許請求の範囲】
【請求項１】 仮想メール交換の一方当事者の役割を果すコンピュータであり、
仮想メール交換の他方当事者の通信先を記憶する記憶手段、他方当事者から送られた送信メールを受付け、受付けた送信メールに対しての返信メールを作成し、その返信メールを前記通信先に対して送信する手段を備えることを特徴とするメール交換のためのコンピュータ。
【請求項２】 前記記憶手段には他方当事者への返信コメント集が記憶されており、
前記コンピュータは、前記返信メールを前記返信コメント集に基づいて作成する手段を備えることを特徴とする請求項１記載のメール交換のためのコンピュータ。
【請求項３】 前記コンピュータは、前記送信メールに含まれるコメントを前記返信コメント集に追加する手段を備えることを特徴とする請求項２記載のメール交換のためのコンピュータ。
【請求項４】 前記記憶手段には他方当事者の属性情報が記憶されており、
前記コンピュータは、前記属性情報に基づいて返信メールを作成する手段を備えることを特徴とする請求項１乃至３記載のメール交換のためのコンピュータ。
【請求項５】 前記コンピュータは、他方当事者とのメール交換回数を集計し、その集計結果に応じた内容の返信メールを作成する手段を備えることを特徴とする請求項１乃至４記載のメール交換のためのコンピュータ。
【請求項６】 前記送信メールには要求情報が含まれ、前記コンピュータは、前記要求情報に応じた対応処理を行い、その対応処理の結果を前記返信メールに含める手段を備えることを特徴とする請求項１乃至５記載のメール交換のためのコンピュータ。
【請求項７】 前記要求情報とは疑問解決を要求するための情報であり、前記対応処理とはその疑問を解決するための処理であることを特徴とする請求項１乃至６記載のメール交換のためのコンピュータ。
【請求項８】 前記要求情報とは所定の行為を要求するための情報であり、前記対応処理とは要求された行為を行うための処理であることを特徴とする請求項１乃至７記載のメール交換のためのコンピュータ。
【請求項９】 前記記憶手段にはキーワードとそのキーワードに対応する応答コメントが記憶されており、前記コンピュータは、前記送信メールに前記キーワードが含まれるかを検索し、前記キーワードが含まれる場合は前記キーワードに対応する応答コメントに基づいて前記返信メールを作成する手段を備えることを特徴とする請求項１乃至８記載のメール交換のためのコンピュータ。
【請求項１０】 前記キーワードとはメール交換における禁止語であり、前記応答コメントとはその禁止語に対応するコメントであることを特徴とする請求項１乃至９記載のメール交換のためのコンピュータ。
【請求項１１】 前記コンピュータは、前記返信メールに天気予報又は口語処理した天気予報を含める手段を備えることを特徴とする請求項１乃至１０記載のメール交換のためのコンピュータ。
【請求項１２】 前記コンピュータは、前記返信メールにニュース情報又は口語処理したニュース情報を含める手段を備えることを特徴とする請求項１乃至１１記載のメール交換のためのコンピュータ。
【請求項１３】 前記コンピュータは、前記返信メールに広告情報又は口語処理した広告情報を含める手段を備えることを特徴とする請求項１乃至１２記載のメール交換のためのコンピュータ。
【請求項１４】 仮想メール交換の一方当事者の役割を果すコンピュータに対し処理を命令するものであり、前記コンピュータには仮想メール交換の他方当事者の通信先を記憶する記憶手段が備えられており、前記コンピュータを他方当事者から送られた送信メールを受付け、受付けた送信メールに対しての返信メールを作成し、その返信メールを前記通信先に対して送信する手段として機能させることを特徴とするメール交換のためのコンピュータプログラム。
【請求項１５】 前記記憶手段には他方当事者への返信コメント集が記憶されており、前記コンピュータを前記返信メールを前記返信コメント集に基づいて作成する手段として機能させることを特徴とする請求項１４記載のメール交換のためのコンピュータプログラム。
【請求項１６】 前記コンピュータを、前記送信メールに含まれるコメントを前記返信コメント集に追加する手段として機能させることを特徴とする請求項１５記載のメール交換のためのコンピュータプログラム。
【請求項１７】 前記記憶手段には他方当事者の属性情報が記憶されており、前記コンピュータを、前記属性情報に基づいて返信メールを作成する手段として機能させることを特徴とする請求項１４乃至１６記載のメール交換のためのコンピュータプログラム。
【請求項１８】 前記コンピュータを、他方当事者とのメール交換回数を集計しその集計結果に応じた内容の返信メールを作成する手段として機能させることを特徴とする請求項１４乃至１７記載のメール交換のためのコンピュータプログラム。
【請求項１９】 前記送信メールには要求情報が含まれ、前記コンピュータを、前記要求情報に応じた対応処理を行いその対応処理の結果を前記返信メールに含める手段として機能させることを特徴とする請求項１４乃至１８記載のメール交換のためのコンピュータプログラム。
【請求項２０】 前記要求情報とは疑問解決を要求するための情報であり、前記対応処理とはその疑問を解決するための処理であることを特徴とする請求項１４乃至１９記載のメール交換のためのコンピュータプログラム。
【請求項２１】 前記要求情報とは所定の行為を要求するための情報であり、前記対応処理とは要求された行為を行うための処理であることを特徴とする請求項１４乃至２０記載のメール交換のためのコンピュータプログラム。
【請求項２２】 前記記憶手段にはキーワードとそのキーワードに対応する応答コメントが記憶されており、前記コンピュータを前記送信メールに前記キーワードが含まれるかを検索し前記キーワードが含まれる場合は前記キーワードに対応する応答コメントに基づいて前記返信メールを作成する手段として機能させることを特徴とする請求項１４乃至２１記載のメール交換のためのコンピュータプログラム。
【請求項２３】 前記キーワードとはメール交換における禁止語であり、前記応答コメントとはその禁止語に対応するコメントであることを特徴とする請求項１４乃至２２記載のメール交換のためのコンピュータプログラム。
【請求項２４】 前記コンピュータを、前記返信メールに天気予報又は口語処理した天気予報を含める手段として機能させることを特徴とする請求項１４乃至２３記載のメール交換のためのコンピュータプログラム。
【請求項２５】 前記コンピュータを、前記返信メールにニュース情報又は口語処理したニュース情報を含める手段として機能させることを特徴とする請求項１４乃至２４記載のメール交換のためのコンピュータプログラム。
【請求項２６】 前記コンピュータを、前記返信メールに広告情報又は口語処理した広告情報を含める手段として機能させることを特徴とする請求項１４乃至２５記載のメール交換のためのコンピュータプログラム。
【請求項２７】 仮想メール交換の一方当事者の役割を果すコンピュータが処理を行うことにより実現される方法であり、前記コンピュータには仮想メール交換の他方当事者の通信先を記憶する記憶手段が備えられており、前記コンピュータが他方当事者から送られた送信メールを受付け、受付けた送信メールに対しての返信メールを作成し、その返信メールを前記通信先に対して送信することを特徴とするメール交換方法。
【請求項２８】 前記記憶手段には他方当事者への返信コメント集が記憶されており、前記コンピュータが前記返信メールを前記返信コメント集に基づいて作成することを特徴とする請求項２７記載のメール交換方法。
【請求項２９】 前記コンピュータが前記送信メールに含まれるコメントを前記返信コメント集に追加することを特徴とする請求項２８記載のメール交換方法。
【請求項３０】 前記記憶手段には他方当事者の属性情報が記憶されており、前記コンピュータが前記属性情報に基づいて返信メールを作成することを特徴とする請求項２７乃至２９記載のメール交換方法。
【請求項３１】 前記コンピュータが、他方当事者とのメール交換回数を集計しその集計結果に応じた内容の返信メールを作成することを特徴とする請求項２７乃至３０記載のメール交換方法。
【請求項３２】 前記送信メールには要求情報が含まれ、前記コンピュータが前記要求情報に応じた対応処理を行いその対応処理の結果を前記返信メールに含めることを特徴とする請求項２７乃至３１記載のメール交換方法。
【請求項３３】 前記要求情報とは疑問解決を要求するための情報であり、前記対応処理とはその疑問を解決するための処理であることを特徴とする請求項２７乃至３２記載のメール交換方法。
【請求項３４】 前記要求情報とは所定の行為を要求するための情報であり、前記対応処理とは要求された行為を行うための処理であることを特徴とする請求項２７乃至３３記載のメール交換方法。
【請求項３５】 前記記憶手段にはキーワードとそのキーワードに対応する応答コメントが記憶されており、前記コンピュータが前記送信メールに前記キーワードが含まれるかを検索し、前記キーワードが含まれる場合は前記キーワードに対応する応答コメントに基づいて前記返信メールを作成することを特徴とする請求項２７乃至３４記載のメール交換方法。
【請求項３６】 前記キーワードとはメール交換における禁止語であり、前記応答コメントとはその禁止語に対応するコメントであることを特徴とする請求項２７乃至３５記載のメール交換方法。
【請求項３７】 前記コンピュータが、前記返信メールに天気予報又は口語処理した天気予報を含めることを特徴とする請求項２７乃至３６記載のメール交換方法。
【請求項３８】 前記コンピュータが、前記返信メールにニュース情報又は口語処理したニュース情報を含めることを特徴とする請求項２７乃至３７記載のメール交換方法。
【請求項３９】 前記コンピュータが、前記返信メールに広告情報又は口語処理した広告情報を含めることを特徴とする請求項２７乃至３８記載のメール交換方法。
【手続補正２】
【補正対象書類名】明細書
【補正対象項目名】０００４
【補正方法】変更
【補正の内容】
【０００４】
本発明は、例えば、次のような手段を備えるコンピュータシステム、コンピュータが次のような処理を行う方法、コンピュータを次のような手段として機能させるコンピュータプログラムである。
（１） 仮想メール交換の一方当事者の役割を果すコンピュータであり、
仮想メール交換の他方当事者の通信先を記憶する記憶手段、他方当事者から送られた送信メールを受付け、受付けた送信メールに対しての返信メールを作成し、その返信メールを前記通信先に対して送信する手段を備える。
（２） 前記記憶手段には他方当事者への返信コメント集が記憶されており、
前記コンピュータは、前記返信メールを前記返信コメント集に基づいて作成する手段を備える。
（３） 前記コンピュータは、前記送信メールに含まれるコメントを前記返信コメント集に追加する手段を備える。
（４） 前記記憶手段には他方当事者の属性情報が記憶されており、
前記コンピュータは、前記属性情報に基づいて返信メールを作成する手段を備える。
（５） 前記コンピュータは、他方当事者とのメール交換回数を集計し、その集計結果に応じた内容の返信メールを作成する手段を備える。
（６） 前記送信メールには要求情報が含まれ、前記コンピュータは、前記要求情報に応じた対応処理を行い、その対応処理の結果を前記返信メールに含める手段を備える。
（７） 前記要求情報とは疑問解決を要求するための情報であり、前記対応処理とはその疑問を解決するための処理である。
（８） 前記要求情報とは所定の行為を要求するための情報であり、前記対応処理とは要求された行為を行うための処理である。
（９） 前記記憶手段にはキーワードとそのキーワードに対応する応答コメントが記憶されており、前記コンピュータは、前記送信メールに前記キーワードが含まれるかを検索し、前記キーワードが含まれる場合は前記キーワードに対応する応答コメントに基づいて前記返信メールを作成する手段を備える。
（１０） 前記キーワードとはメール交換における禁止語であり、前記応答コメントとはその禁止語に対応するコメントである。
（１１） 前記コンピュータは、前記返信メールに天気予報又は口語処理した天気予報を含める手段を備える。
（１２） 前記コンピュータは、前記返信メールにニュース情報又は口語処理したニュース情報を含める手段を備える。
（１３） 前記コンピュータは、前記返信メールに広告情報又は口語処理した広告情報を含める手段を備える。